(57)【要約】【課題】  簡単な構成で、天板と床面との空間を広くしつつ天板の剛性を高めて安定支持すること。【解決手段】  天板２００と、天板２００の裏面と接続される接続部３０１と、設置面に設置される設置部３０２と、を備える複数の脚部材３００と、天板２００裏面と各脚部材３００に亘って設けられる複数の天板支持体４００と、を備え、各設置部３０２は、各接続部３０１よりも平面視外方に位置され、天板支持体４００は、側面視鋭角に形成される脚部材３００と天板２００間に配置される。【選択図】  図２
2016182315.tif 000002
【特許請求の範囲】
【請求項１】
天板と、
前記天板の裏面と接続される接続部と、設置面に設置される設置部と、を備える複数の脚部材と、
前記天板裏面と各前記脚部材に亘って設けられる複数の天板支持体と、
を備え、
各前記設置部は、各前記接続部よりも平面視外方に位置され、
前記天板支持体は、側面視鋭角に形成される前記脚部材と前記天板間に配置される、
ことを特徴とする机。
【請求項２】
前記天板は、複数の角状部が形成される多角形状に形成され、
複数の前記脚部材は、各前記角状部に応じて前記角状部と同数設けられ、
前記接続部及び前記設置部は、平面視における対応する前記角状部の内角二等分線上に配置される、
ことを特徴とする請求項１に記載の机。
【請求項３】
複数の前記脚部材を互いに接続する支持杆と、
前記支持杆に支持されて孔部が設けられた棚板と、
を備えることを特徴とする請求項１又は請求項２に記載の机。
【請求項４】
前記天板は、平面視四角形状に形成されるとともに、縁部に凹状の切欠部を有することを特徴とする請求項１乃至請求項３の何れかに記載の机。
【請求項５】
前記天板の裏面位置には収納部が備えられ、
前記収納部は、前記天板の外縁方向に開口する外側開口部と、前記天板の中央方向に開口する内側開口部を有し、該内側開口部は前記外側開口部より開口面積が小さい、
ことを特徴とする請求項１乃至請求項４の何れかに記載の机。
【発明の詳細な説明】
【技術分野】
【０００１】
本発明は、主にオフィス等で使用される事務用の机に関する。
【背景技術】
【０００２】
従来から、フリーアドレステーブルやミーティングテーブル等の用途に適した机が提案されている。このような机は多くの資料等を広げながら作業を行えるよう、卓上を広くした大型天板が用いられることがある。また、このような天板を有する机は、個人利用に限定されることなく、天板周囲の自由な位置に複数の椅子を設置することで、複数人で共有して利用される場合がある。このような利用を可能とするため、天板を安定して支えるための支持構造に関する技術が提案されている。
【０００３】
例えば、天板下の空間を広く確保し、使用者の足と可能な限り干渉しない形状により天板を支持させるには、１本足のテーブルが考えられる。しかしながら、天板を支持する剛性や安定性がない。一方、特許文献１には、テーブルの天板支持装置が開示されている。この天板支持装置の支脚（脚部材）には、鉛直線に対し所定角度傾斜する中間支脚が設けられる。この中間支脚には、中間支脚の下端部から下向きに傾斜して延設される下支脚が設けられる。一方、中間支脚の上端部からは、上向きに傾斜して延設される上支脚が設けられる。この下支脚と上支脚は中間支脚から夫々同じ側に延設される。よって、この支脚（脚部材）は、全体が略コの字状に形成される。また、下支脚の先端部には床面に接地する接地部が設けられ、上支脚の先端部には天板が連結される支持部が設けられる。さらに、上支脚の基端側に設けられた連結部には、ビーム杆が角度変更可能に連結され、支持部に加えてビーム杆によっても天板は支えられる。また、このビーム杆は、一つの支脚に複数備えられる。そして、複数の支脚間でビーム杆が連結されることにより、複数の支脚同士が連結されるとしている。
【０００４】
このように、角度変更可能にビーム杆を連結するため、支脚は自由な位置に配置することができる。したがって、特許文献１の天板支持装置は、大きさや形状の異なる天板の支持に対応することができる。また、その支脚構造から、天板下の足入れ空間を広く確保することができ、また、心理的にも天板下を広く見せるようにしている。
【先行技術文献】
【特許文献】
【０００５】
【特許文献１】特開２０１４−９７１９９号公報
【発明の概要】
【発明が解決しようとする課題】
【０００６】
しかしながら、一本脚で天板を支えた場合では、上述のように天板の剛性が弱く、テーブルの安定性を確保することが困難である。また、特許文献１の机は、その天板を、上支脚部の支持部とこれら複数の支脚同士を連結しているビーム杆の上面とにより支えている。そのため、このビーム杆を連結するための支脚の構成が複雑となってしまう。
【０００７】
本発明は、以上の点に鑑み、簡単な構成で、天板下の空間を広くしつつ天板の剛性を高めて安定支持する机を提供することを目的とする。
【課題を解決するための手段】
【０００８】
本発明に係る机は、天板と、前記天板の裏面と接続される接続部と、設置面に設置される設置部と、を備える複数の脚部材と、前記天板裏面と各前記脚部材に亘って設けられる複数の天板支持体と、を備え、各前記設置部は、各前記接続部よりも平面視外方に位置され、前記天板支持体は、側面視鋭角に形成される前記脚部材と前記天板間に配置される、
ことを特徴とする。
【０００９】
また、前記天板は、複数の角状部が形成される多角形状に形成され、複数の前記脚部材は、各前記角状部に応じて前記角状部と同数設けられ、前記接続部及び前記設置部は、平面視における対応する前記角状部の内角二等分線上に配置される、ことを特徴とする。
【００１０】
また、複数の前記脚部材を互いに接続する支持杆と、前記支持杆に支持されて孔部が設けられた棚板と、を備えることを特徴とする。
【００１１】
また、前記天板は、平面視四角形状に形成されるとともに、縁部に凹状の切欠部を有することを特徴とする。
【００１２】
また、前記天板の裏面位置には収納部が備えられ、前記収納部は、前記天板の外縁方向に開口する外側開口部と、前記天板の中央方向に開口する内側開口部を有し、該内側開口部は前記外側開口部より開口面積が小さい、ことを特徴とする。
【発明の効果】
【００１３】
本発明によれば、脚部材の設置部は接続部よりも平面視外方に位置され、天板支持体は側面視鋭角に形成される脚部材と天板間に配置されて、天板を支持する。そのため、簡単な構成で、天板下の空間を広くしつつ安定支持する机を提供することができる。
【００１４】
また、天板が多角形状に形成され、接続部及び設置部が平面視における対応する角状部の内角二等分線上に配置される机は、脚部材が天板の中央側から外縁方向である角状部に向かって平面視放射状に設けられる。従って、天板支持体は角状部を支持することができる。そのため、角状部における天板の撓みを低減させつつ意匠性に優れた机を構成することができる。
【００１５】
また、支持杆を備える机は、脚部材同士を支持杆により固定して棚板が載置される。そのため、天板から受ける負荷による脚部材の天板外方への開きを抑制することができる。
【００１６】
また、天板を平面視四角形状に形成するとともに、縁部に凹状の切欠部を有する机は、複数の机を隣設させた境界に切欠部による孔部が形成される。そのため、天板同士の境界から配線等を引き込むと共に広い机を構成することができる。
【００１７】
また、収納部を備える机は、荷物等を収納したり、配線等を天板縁部付近に引き込むガイドとして機能する。そのため、天板と床面との空間を広くしつつ使用者の荷物や配線を収納することができる。また、内側開口部は外側開口部より開口面積を小さくした。そのため、収納部内の収納物が机の内側から落下することを防ぐことができる。
【図面の簡単な説明】
【００１８】
【図１】本発明の実施形態に係る机の平面斜視図である。
【図２】本発明の実施形態に係る机の裏面斜視図である。
【図３】本発明の実施形態に係る机の（ａ）側面図、及び（ｂ）裏面図である。
【図４】本発明の実施形態に係る机における図３（ａ）のＩＶ（ａ）−ＩＶ（ａ）一部拡大断面図、及び図３（ｂ）のＩＶ（ｂ）−ＩＶ（ｂ）一部拡大断面図である。
【図５】本発明の実施形態に係る机の裏面斜視図である。
【図６】本発明の実施形態に係る机の使用状態の一例を示す斜視図である。
【発明を実施するための形態】
【００１９】
本発明の実施形態を図に基づいて説明する。図１は、机１００の平面斜視図である。机１００は、天板２００、４本の脚部材３００を備える。
【００２０】
本実施形態における天板２００は、平面視において、全体が長方形状に形成される。その四辺のうちの一辺の中央部分には、凹状の切欠部２０１が形成される。天板２００は、その外周辺部の裏面から下方に向けて立設する側板２１０を有する。天板２００の切欠部２０１が形成される辺には、天板２００の一部が平面方向に突出した突板部２０２が形成される。詳細は図２及び図３を用いて後述する。
【００２１】
図２は、机１００の裏面斜視図である。図３（ａ）は、机１００の側面図であり、図３（ｂ）は、机１００の裏面図である。
【００２２】
平面視において、長方形状に形成された天板２００は、四隅に直角な角状部２０３を有する。天板２００は、前述の通り、側板２１０を有する。側板２１０は、天板２００の外周縁を囲うように各辺と平行として４つの辺に対してそれぞれ設けられる。この側板２１０のうち、三辺にそれぞれ設けられた側板２１０は天板２００の端縁と連続して形成される。また、他の一辺における側板２１１は、天板２００の端縁から中央側にずれて配置される。換言すれば、天板２００の外周辺のうち、切欠部２０１が形成される辺に設けられた側板２１１の外方側面２１２は、天板２００の外周側面２０６よりも内側に位置して設けられる。これにより、天板２００の一部が平面方向に突出した突板部２０２が形成される。また、これらの側板２１０により、角状部２０３における上下方向の剛性が向上される。
【００２３】
脚部材３００は横断面視角柱状に形成される。脚部材３００は、上端に接続部３０１を有し、下端に設置部３０２を有する。接続部３０１は、平面視四角形状とするフランジ状に形成されている。この接続部３０１は、天板２００の裏面と接続され固定される。具体的には、図３（ｂ）に示すように、接続部３０１と天板２００とは、接続部３０１の下側から、螺子等の適宜の固定具３０３により固定される。脚部材３００は、角状部２０３に応じて夫々設けられる。したがって、本実施形態では、脚部材３００は、角状部２０３と同数の４本が設けられる。
【００２４】
設置部３０２は、机１００を設置する際に床等の設置面と接する部位である。設置部３０２は、脚部材３００全体の長さを個別に調節するための調節部３０４を有する。調節部３０４は、例えば設置部３０２の平坦面３０５に螺入されている。この調節部３０４により、脚部材３００全体の長さを変更して天板２００の平行度を調節することができる。
【００２５】
また、平面視において、脚部材３００の接続部３０１及び設置部３０２は、対応する角状部２０３の内角二等分線上に位置している。また、脚部材３００は、設置部３０２が接続部３０１よりも天板２００の平面視外方に位置して配置される。したがって、脚部材３００は天板２００に対して側面視において傾斜している。
【００２６】
また、天板２００は、天板支持体４００により支持されている。天板支持体４００は、板状に形成されて、側面視において鋭角に形成される、脚部材３００と天板２００間に配置される。天板支持体４００は、天板２００と接する第一支持体側面４０１と、脚部材３００と接する第二支持体側面４０２とを有する。天板支持体４００は、第一支持体側面４０１が、脚部材３００と天板２００の接続部分（接続部３０１）から角状部２０３に向かって角状部２０３近傍まで天板２００の裏面と接している。天板支持体４００は、第一支持体側面４０１に対向した、湾曲凹状の第三支持体側面４０３を有する。この第一支持体側面４０１と第三支持体側面４０３の各々は、第二支持体側面４０２の両端と隣接している。また、天板支持体４００の形状は、脚部材３００側から角状部２０３側に向かって、漸次その上下方向の板幅が小さくなるよう形成される。
【００２７】
ネット等布で形成される収納部５００は、天板２００裏面の外周辺内側に設けられる。また、収納部５００は、この外周辺の略中央に設けられる。本実施形態では、収納部５００は、螺子等の適宜の締結具５０１によって天板２００の裏面に固定される。また、収納部５００には、収納物が収納できるように天板２００の裏面との間に間隙が形成される。本実施形態では、収納部５００は、天板２００の外縁方向に開口する外側開口部５１０と、天板２００の中央方向に開口する内側開口部５２０とを有する。詳細は図４を用いて後述する。
【００２８】
脚部材３００の接続部３０１と設置部３０２との間の脚部材３００の長手方向略中間位置には、板状の第一支持杆６１０が接続される。第一支持杆６１０は、平面視において各脚部材３００から天板２００の中央側に向かって角状部２０３の内角二等分線上に配置される。本実施形態では、図３（ｂ）に示すように天板２００は平面視長方形状に形成されているため、角状部２０４と角状部２０５に対応する二つの第一支持杆６１１，６１２は、天板２００の中央付近で直角に交わって接続している。同様に、二つの第一支持杆６１３，６１４が天板２００の中央付近で直角に交わって接続している。そして、一方の板状の第二支持杆６２１は、二つの第一支持杆６１１，６１３を天板２００の辺と平行に連結している。また、他方の板状の第二支持杆６２２は、二つの支持杆６１２，６１４を天板２００の辺と平行に連結している。換言すれば、第二支持杆は夫々左右方向に対向する第一支持杆の間に第一支持杆と平面視４５°の角度で連結される。これにより天板から受ける負荷による脚部材の天板外方への開きを抑制することができる。
【００２９】
また、第一支持杆６１０及び第二支持杆６２０は、上側に棚板６００が載置されて、支持している。棚板６００は、板状に形成されて、略中央に孔部６０１を有する。本実施形態では、棚板６００は長軸が天板２００の長辺と平行な平面視楕円形状に形成されるが、他の適宜の形状とすることができる。なお、孔部６０１は、棚板６００上の適宜の位置にひとつ又は複数設けることができる。
【００３０】
ダクト７００は、孔部６０１に挿通されて、その一端にある固定部７０１が天板２００の裏面略中央に固定される。ダクト７００には、机１００上で使用される情報機器等が利用する、電源タップや通信線等の配線が挿通される。例えば、床上又は床下に設けられた配線は、床面からダクト７００の中を介して天板２００の近くまで引き込まれる。引き込んだ配線の接続端子部は、収納部５００に収納されたり天板２００上に配置される。
【００３１】
図４は、図３（ｂ）のＩＶ（ａ）−ＩＶ（ａ）一部拡大断面図、及び図３（ｂ）のＩＶ（ｂ）−ＩＶ（ｂ）一部拡大断面図である。
【００３２】
収納部５００は、展開形状が台形状に形成される収納部材５０２を備える。この収納部材５０２が締結具５０１により天板２００裏面に固定されて収納部５００が形成される。収納部材５０２は、布地やポリエステル繊維等の柔軟性のある素材で形成することができる。この収納部材５０２は、四隅の角が天板２００の裏面に螺子等の締結具５０１により固定される。このとき、台形状の収納部材５０２の平行対辺に相当する開口縁５０３，５０４が撓むことにより開口部５１０，５２０が形成される。例えば、台形に形成された収納部５００の平行対辺のうち、長い方の辺に相当する開口縁５０３を天板２００の外周縁側へ配置し、短い方の辺に相当する開口縁５０４を天板２００の内側へ配置する。こうすることで、収納部５００の開口部として、外側開口部５１０と、外側開口部５１０よりも開口面積の小さい内側開口部５２０とが形成される。
【００３３】
なお、収納部５００に用いられる収納部材５０２は、成形部材や組立により形成した部材等、軟質又は硬質の他の部材で構成することができる。そして収納部５００は、これらの部材を天板２００裏面に対し固定して形成することができる。
【００３４】
つぎに、机１００の変形例について説明する。図５は、机１００ａの裏面斜視図である。本図の机１００ａは、机１００の天板支持体４００及び支持杆６１０，６２０の代わりに、天板支持体４００ａ及び支持杆６１０ａ，６２０ａを備えている。なお、本図の説明において、机１００と同様の構成については、同一の符号を付し、その説明を省略する。
【００３５】
天板支持体４００ａは、図２の天板支持体４００と同様、第一支持体側面４０１が、脚部材３００と天板２００の接続部分（接続部３０１）から角状部２０３に向かって角状部２０３近傍まで天板２００の裏面と接している。天板支持体４００ａの形状は、脚部材３００側から角状部２０３側に向かって、漸次その上下方向の板幅が小さくなるよう形成される。換言すれば、天板支持体４００ａの第三支持体側面４０３ａは、平坦面として直線的に形成される。
【００３６】
このように天板支持体４００ａの形状は、天板２００の裏面から脚部材３００に亘って設けられていれば、適宜の形状とすることができる。例えば、天板支持体４００の第一支持体側面４０１には、一つ又は複数の切欠部を設けることができる。また、天板支持体として、一つ又は複数の柱状部材を天板２００の裏面から脚部材３００に亘って設け、天板２００を支持する構成とすることができる。
【００３７】
また、机１００ａには、脚部材３００の接続部３０１と設置部３０２との中央間に、板状の第一支持杆６１０ａ、第二支持杆６２０ａが接続される。第一支持杆６１５，６１６は、その両端が折り曲がったコの字状に形成される。そして第一支持杆６１５，６１６の両端により、二つの脚部材３００が連結される。二つの第二支持杆６２３，６２４は平行に配置される。各第二支持杆６２３，６２４は、両端が夫々第一支持杆６１５，６１６と接続される。これらの支持杆６１０ａ，６２０ｂによって、棚板６００が支持される。また、これにより天板から受ける負荷による脚部材の天板外方への開きを抑制することができる。
【００３８】
棚板６００を支持する支持杆は、単一部材により一体として構成させてもよい。また、棚板６００の一部に脚部材３００と連結する適宜の接続部を設けて、支持杆を用いることなく脚部材３００に棚板６００を固定させてもよい。さらに、脚部材３００の接続部３０１と設置部３０２との間の複数の高さ位置に複数段の棚板を設けてもよい。
【００３９】
つぎに、机１００の使用例について説明する。図６は、机１００の使用状態の一例を示す図である。本図では二つの机１００を隣接させて配置している。机１００は、天板２００にある切欠部２０１が設けられた辺が互いに接するように配置される。このように、複数の机１００を組み合わせることにより、より広い卓上空間を備えた机を構成することができる。
【００４０】
例えば、パソコン等の情報端末８００を机１００に設置して使用する場合、この情報端末８００には、電源用タップや通信ケーブル等の配線を外部から引き入れることがある。このような場合、収納部５００に収めた電源タップに情報端末８００の電源ケーブル８０１を接続させることができる。具体的には、机１００の上に切欠部２０１を介して、天板２００の裏から電源タップ８０３を引き込む。そしてこの電源タップ８０３に、情報端末８００に用いられる電源テーブル８０２を接続させることができる。また、外部からの配線は床下等から机１００の設置面を伝って設置されることがある。これらの配線は、収納部５００や切欠部２０１を介して設置される。外部から引き込む配線は、ダクト７００に挿通させて、引き込むことができる。
【００４１】
また、机１００は、天板２００の大きさ及び高さを適宜定めることにより、卓球台として使用することができる。例えば、本図の天板２００は、その大きさ及び高さが、横幅（切欠部２０１が設けられた辺を含まない対辺間距離）を１，５２５ｍｍ、奥行（切欠部２０１が設けられた辺を含む対辺間距離）を１，３７０ｍｍ、高さを７６０ｍｍとしている。天板２００には、センターライン２０７が引かれる。また、二つの机１００の天板２００同士が接触する境界では、互いの突板部２０２が向かい合って配置される。この向かい合った二つの突板部２０２の位置に、サポート９００が取り付けられる。このサポート９００が天板２００の境界部分の二か所に向かい合って設置されることにより、卓球用ネット９０１を張持させることができる。
【００４２】
また、机１００は、孔部６０１を有する棚板６００備えるようにした。これにより、机１００の利用者が荷物等の置き場として棚板６００を利用することができる。また、孔部６０１にケーブルを挿通させることで、複数のケーブルを束ねて引き込むことができる。したがって、着座した利用者は、情報端末８００の利用に伴った引き込み配線に気にすることなく、快適に利用することができる。
【００４３】
また、机１００は切欠部２０１を有する。これにより、二台の机１００を隣接させて、一つの卓球台兼机とした場合、センターライン２０７上に位置する切欠部２０１を、配線を取り出せる配線孔として利用することができる。
【００４４】
このように、複数の机１００を組み合わせた場合は、一般的な机より広さがあるため、作業スペースを広く確保することができる。したがって、資料を広げての作業や会議等に快適に使用することができる。
【００４５】
以上、本実施形態の机１００，１００ａによると、天板２００を支持する脚部材３００及び天板支持体４００を設けたことにより、比較的大きな天板２００を支持する場合であっても天板２００のたわみを抑えることができる。また、脚部材３００を、天板２００の裏面の位置から机１００の設置面にかけて天板の外方へ傾斜させて設けた。このような簡単な構成により、足を入れられる天板２００の裏側に広い空間を確保しつつ、この天板２００を安定して支えることができる。
【００４６】
また、複数の机１００を組み合わせて利用する場合であっても、脚部材３００は設置部３０２が接続部３０１よりも平面視外方に位置するように設けたため、複数の利用者が着座した際でも、机１００には足もとに広い空間を確保することができる。
【００４７】
なお、本実施形態では、天板２００の形状は長方形状としたが、これに限らず、他の四角形状又は他の多角形状とすることができる。また、それ以外の適宜の形状とすることができる。また、角状部２０３は、Ｒ面取りや平面取等の適宜の面取り形状に形成することができる。
【００４８】
また、接続部３０１は、フランジ状とした天板２００との接触面をさらに広くした構成としてもよいし、脚部材３００と横断面積が同一となるように構成してもよい。また、脚部材３００と天板支持体４００を一体の部材として構成してもよい。さらに、天板支持体４００は、天板２００側の一部を、適宜の接触面積で天板２００と接するフランジ状に形成することができる。
【００４９】
以上、本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに特許請求の範囲に記載された発明とその均等の範囲に含まれる。
【符号の説明】
【００５０】
１００，１００ａ  机
２００  天板                            ２０１  切欠部
２０２  突板部                          ２０３〜２０５  角状部
２０６  外周側面                        ２０７  センターライン
２１０，２１１  側板                    ２１２  外方側面
３００  脚部材                          ３０１  接続部
３０２  設置部                          ３０３  固定具
３０４  調節部                          ３０５  平坦面
４００，４００ａ  天板支持体            ４０１  第一支持体側面
４０２  第二支持体側面                  ４０３，４０３ａ  第三支持体側面
５００  収納部                          ５０１  締結具
５０２  収納部材                        ５０３，５０４  開口縁
５１０  外側開口部                      ５２０  内側開口部
６００  棚板                            ６０１  孔部
６１０〜６１６，６１０ａ  第一支持杆    ６２０〜６２４，６２０ｂ  第二支持杆
７００  ダクト                          ７０１  固定部
８００  情報端末                        ８０１，８０２  電源ケーブル
８０３  電源タップ
９００  サポート                        ９０１  卓球用ネット
【図１】
2016182315.tif 000003
【図２】
2016182315.tif 000004
【図３】
2016182315.tif 000005
【図４】
2016182315.tif 000006
【図５】
2016182315.tif 000007
【図６】
2016182315.tif 000008